(57)【要約】【課題】  受信レベルの判定基準となる既定数の範囲をユーザが設定変更可能とすることで、ユーザの操作により頻繁にミュートされることなく映像や音声を出力することを可能とする。【解決手段】  マイコン１０は、クロマＩＣ３０から出力される水平同期信号の数を内部タイマー回路を用いて例えば２ｍｓｅｃの間計測し、その計測数が予めＥＥＰＲＯＭ５０に記憶されている既定数の範囲内であるか否かを判断し、既定数の範囲外である場合には音声ミュート回路４０により音声をミュートするように構成されているものにおいて、リモコン６０を操作することにより、ＥＥＰＲＯＭ５０に記憶されている既定数の範囲をユーザが設定変更可能となっている。【選択図】  図１
2005159855.tif 000002
【特許請求の範囲】
【請求項１】
チューナ手段によって受信されたテレビジョン放送信号の中間周波信号を映像信号及び音声信号に変換して出力する信号処理手段と、前記チューナ手段によって受信されたテレビジョン放送信号の中間周波信号から垂直同期信号及び水平同期信号を分離して出力する同期信号分離手段と、受信レベルに応じて音声信号及び／または映像信号をミュートするミュート手段と、前記同期信号分離手段にて分離された水平同期信号の数を所定時間計測する計測手段と、前記計測手段により計測された水平同期信号の数が予め設定されている既定数の範囲内であるか否かによって同期信号の有無を判定する同期信号有無判定手段と、前記同期信号有無判定手段により同期信号無しと判定された場合には、前記ミュート手段により前記音声信号及び／または映像信号をミュートさせる制御手段とを備えたテレビジョン受信装置において、
テレビジョン放送信号の受信開始時に、各放送局のテレビジョン放送信号の受信レベルを判定する受信レベル判定手段と、
受信レベルの良好な上位複数局の受信レベルの平均値に基づいて前記既定数の範囲の設定を変更する既定数範囲変更手段と、
前記既定数の範囲をユーザが任意に設定変更可能な手動判定レベル調整手段と、
テレビジョン放送信号の受信中に、前記既定数の範囲を自動的に設定変更する自動判定レベル調整手段と、
前記手動判定レベル調整手段及び前記自動判定レベル調整手段による前記既定数の範囲の設定変更時、その変更状況を画面に表示する調整モード表示手段とを備えており、
自動判定レベル調整モードが選択されている場合において、前記自動判定レベル調整手段は、前記同期信号有無判定手段により同期信号無しと判定された場合には、前記同期信号有無判定手段により同期信号有りと判定されるまで前記既定数の範囲を広げるように変更することを特徴とするテレビジョン受信装置。
【請求項２】
チューナ手段によって受信されたテレビジョン放送信号の中間周波信号を映像信号及び音声信号に変換して出力する信号処理手段と、前記チューナ手段によって受信されたテレビジョン放送信号の中間周波信号から垂直同期信号及び水平同期信号を分離して出力する同期信号分離手段と、受信レベルに応じて音声信号及び／または映像信号をミュートするミュート手段と、前記同期信号分離手段にて分離された水平同期信号の数を所定時間計測する計測手段と、前記計測手段により計測された水平同期信号の数が予め設定されている既定数の範囲内であるか否かによって同期信号の有無を判定する同期信号有無判定手段と、前記同期信号有無判定手段により同期信号無しと判定された場合には、前記ミュート手段により前記音声信号及び／または映像信号をミュートさせる制御手段とを備えたテレビジョン受信装置において、
前記既定数の範囲をユーザが任意に設定変更可能な手動判定レベル調整手段を備えたことを特徴とするテレビジョン受信装置。
【請求項３】
前記既定数の範囲を自動的に設定変更する自動判定レベル調整手段をさらに備えており、
自動判定レベル調整モードが選択されている場合において、前記自動判定レベル調整手段は、前記同期信号有無判定手段により同期信号無しと判定された場合には、前記同期信号有無判定手段により同期信号有りと判定されるまで前記既定数の範囲を広げるように変更することを特徴とする請求項２に記載のテレビジョン受信装置。
【請求項４】
前記自動判定レベル調整手段には前記既定数の範囲を広げる限界値が設定されており、前記制御手段は、前記自動判定レベル調整手段により既定数の範囲を限界値まで広げても前記同期信号有無判定手段により同期信号無しと判定された場合には、前記ミュート手段により前記音声信号及び／または映像信号をミュートさせることを特徴とする請求項３に記載のテレビジョン受信装置。
【請求項５】
テレビジョン放送信号の受信開始時に、予め設定された基準となる放送局のテレビジョン放送信号の受信レベルを判定する受信レベル判定手段と、
前記受信レベル判定手段による基準放送局の受信レベルに基づいて前記既定数の範囲の設定を変更する既定数範囲変更手段とをさらに備えたことを特徴とする請求項３または請求項４に記載のテレビジョン受信装置。
【請求項６】
前記手動判定レベル調整手段及び前記自動判定レベル調整手段による前記既定数の範囲の設定変更時、その変更状況を画面に表示する調整モード表示手段をさらに備えたことを特徴とする請求項１ないし請求項５のいずれかに記載のテレビジョン受信装置。
【発明の詳細な説明】
【技術分野】
【０００１】
本発明は、選局したチャンネルのテレビジョン放送信号の受信レベルを調整可能なテレビジョン受信装置に関する。
【背景技術】
【０００２】
従来より、受信した映像信号や音声信号を受信レベル（受信感度）に応じてミュートするように構成されたテレビジョン受信装置が提案されている。
【０００３】
この従来のテレビジョン受信装置では、受信レベルを判定する一手段として、例えばチューナ回路によって受信されたテレビジョン放送信号の中間周波信号から水平同期信号を分離し、分離した水平同期信号の数を所定時間（例えば、２ｍｓｅｃ）計測し、その計測した水平同期信号の数が予め設定されている既定数の範囲内（例えば、２５〜３７の範囲内）であるか否かによって同期信号の有無、すなわち受信レベルを判定するようになっている。
【０００４】
なお、このような水平同期信号を利用して映像をミュートするものとして、例えば特許文献１が提案されている。また、水平同期信号を利用して表示画像の画質の向上を図るものとして、例えば特許文献２が提案されている。
【特許文献１】特開平１１−３３１７２２号公報
【特許文献２】特開平１０−２４３２５４号公報
【発明の開示】
【発明が解決しようとする課題】
【０００５】
しかしながら、上記従来技術では、受信レベルを判定するための基準となる既定数の範囲がメーカ側の出荷時の設定に固定されているため、例えばユーザが、多少感度が悪くてもその放送を見たい場合でも、その映像や音声がミュートされてしまうといった問題があった。
【０００６】
本発明はかかる問題点を解決すべく創案されたもので、その目的は、受信レベルの判定基準となる既定数の範囲をユーザが設定変更可能とすることで、受信感度が悪い場合であっても、ユーザの設定変更により、頻繁にミュートされることなく映像や音声を出力することのできるテレビジョン受信装置を提供することにある。また、他の目的は、地域によって受信感度に差がある場合を考慮し、受信感度の悪い地域であっても、既定数の範囲を自動的に設定変更することで、頻繁にミュートされることなく映像や音声を出力することのできるテレビジョン受信装置を提供することにある。
【課題を解決するための手段】
【０００７】
本発明のテレビジョン受信装置は、チューナ手段によって受信されたテレビジョン放送信号の中間周波信号を映像信号及び音声信号に変換して出力する信号処理手段と、前記チューナ手段によって受信されたテレビジョン放送信号の中間周波信号から垂直同期信号及び水平同期信号を分離して出力する同期信号分離手段と、受信レベルに応じて音声信号及び／または映像信号をミュートするミュート手段と、前記同期信号分離手段にて分離された水平同期信号の数を所定時間計測する計測手段と、前記計測手段により計測された水平同期信号の数が予め設定されている既定数の範囲内であるか否かによって同期信号の有無を判定する同期信号有無判定手段と、前記同期信号有無判定手段により同期信号無しと判定された場合には、前記ミュート手段により前記音声信号及び／または映像信号をミュートさせる制御手段とを備えたテレビジョン受信装置において、前記既定数の範囲をユーザが任意に設定変更可能な手動判定レベル調整手段を備えたことを特徴とする。
【０００８】
すなわち、ユーザは、現在視聴中の番組の受信感度が若干悪いために、たびたび映像や音声がミュートされて視聴しずらい場合等には、例えばリモコンを操作することにより、既定数の範囲を広げるように設定変更すればよい。
【０００９】
受信感度が良好である場合に、水平同期信号を例えば２ｍｓｅｃの間計測すると、その計測数は計測開始タイミングにより３１または３２となる。これに対し、出荷時に予め設定（初期設定）されている既定数の範囲は例えば２５〜３７に設定されている。受信感度が悪いと、２ｍｓｅｃ間に計測できる水平同期信号の数が例えば２４や２３に減ったり、逆にノイズも計測した結果３８や３９に増えたりする。従って、既定数の範囲が初期設定のままでは頻繁にミュートがかかることになる。そこで、ユーザが、例えばリモコンを操作して、この範囲を例えば２３〜３９に広げることにより、画質や音質は多少悪いものの、頻繁にミュートされるといった事態を回避でき、映像及び音声を視聴することが可能となる。
【００１０】
また、本発明では、手動判定レベル調整手段の他に、前記既定数の範囲を自動的に設定変更する自動判定レベル調整手段をさらに備えており、ユーザにより手動または自動の選択が行えるようになっている。そして、自動判定レベル調整モードが選択されている場合において、前記自動判定レベル調整手段は、前記同期信号有無判定手段により同期信号無しと判定された場合には、前記同期信号有無判定手段により同期信号有りと判定されるまで前記既定数の範囲を広げるように変更する。
【００１１】
これにより、受信感度の悪い放送局を受信している場合において、ユーザがいちいちリモコンを操作しなくても、既定数の範囲を自動的に広げることができるので、頻繁にミュートされるといった事態を回避でき、映像及び音声をミュートされることなく視聴することが可能となる。
【００１２】
この場合、画質や音質の低下が視聴に耐えられなくなる可能性があるので、前記自動判定レベル調整手段には前記既定数の範囲を広げる限界値を設定し、前記制御手段は、前記自動判定レベル調整手段により既定数の範囲を限界値まで広げても前記同期信号有無判定手段により同期信号無しと判定された場合には、前記ミュート手段により前記音声信号及び／または映像信号をミュートさせるようにしてもよい。
【００１３】
また、本発明では、テレビジョン放送信号の受信開始時に、予め設定された基準となる放送局のテレビジョン放送信号の受信レベルを判定する受信レベル判定手段と、前記受信レベル判定手段による基準放送局の受信レベルに基づいて前記既定数の範囲の設定を変更する既定数範囲変更手段とをさらに備えた構成としてもよい。
【００１４】
このように、テレビジョン放送信号の受信開始時に、基準放送局の受信レベルに基づいて既定数の範囲の設定を予め変更することで、出荷時に設定されている既定数の範囲から、その地域に合った既定数の範囲に設定変更することができる。これにより、映像及び音声が頻繁にミュートされるといった事態を未然に防止することができる。
【００１５】
一方、上記の基準放送局が全国一律に受信感度が良好なわけではなく、地域によっては別の放送局の方が受信感度が良好な場合も考えられる。そこで、本発明では、このような場合を考慮し、テレビジョン放送信号の受信開始時に、各放送局のテレビジョン放送信号の受信レベルを判定する受信レベル判定手段と、受信レベルの良好な上位複数局の受信レベルの平均値に基づいて前記既定数の範囲の設定を変更する既定数範囲変更手段とを備えた構成としている。受信感度の良好な上位複数局（例えば、上位３局）の受信レベルの平均をとることで、その地域の受信感度の平均的なレベルが分かるので、その平均的なレベルに合わせて既定数の範囲を設定変更する。これにより、映像及び音声が頻繁にミュートされるといった事態を未然に防止することができる。
【００１６】
また、本発明では、前記手動判定レベル調整手段及び前記自動判定レベル調整手段による前記既定数の範囲の設定変更時、その変更状況を画面に表示する調整モード表示手段をさらに備えた構成とする。このように、既定数の範囲の変更状況を画面に表示することで、ユーザは、既定数の範囲がどこまで広げられたのか、若しくは狭められたのかを視覚的に把握することが可能となる。
【発明の効果】
【００１７】
本発明のテレビジョン受信装置によれば、ユーザは、現在視聴中の番組の受信感度が若干悪いために、たびたび映像や音声がミュートされて視聴しずらい場合等には、例えばリモコンを操作することにより、既定数の範囲を広げるように設定変更することができる。これにより、画質や音質は多少悪いものの、頻繁にミュートされるといった事態を回避でき、映像及び音声を視聴することが可能となる。
【００１８】
また、本発明のテレビジョン受信装置によれば、自動判定レベル調整モードが選択されている場合において、同期信号有無判定手段により同期信号無しと判定された場合には、同期信号有りと判定されるまで既定数の範囲を広げるように自動的に設定変更することができる。これにより、受信感度の悪い放送局を受信している場合において、ユーザがいちいちリモコンを操作しなくても、既定数の範囲を自動的に広げることができるので、頻繁にミュートされるといった事態を回避でき、映像及び音声をミュートされることなく視聴することが可能となる。
【発明を実施するための最良の形態】
【００１９】
以下、本発明の実施の形態について、図面を参照して説明する。
【００２０】
図１は、本発明のテレビジョン受信装置の電気的構成を示すブロック図である。
【００２１】
本実施形態のテレビジョン受信装置１はマイコン１０を備え、このマイコン１０に、チューナ回路２０、クロマＩＣ３０、音声ミュート回路４０、ＥＥＰＲＯＭ５０がそれぞれ接続されている。
【００２２】
チューナ回路２０には、アンテナ２１と、クロマＩＣ３０とが接続されている。クロマＩＣ３０には、オーディオアンプ７３と、偏向回路７５とが接続されるとともに、マイコン１０内のオンスクリーンディスプレイ（ＯＳＤ）回路１５を介してカソードアンプ７１が接続されている。受像管（ＣＲＴ）７２は、偏向コイル７６が取り付けられるとともにカソードアンプ７１とフライバックトランス（ＦＢＴ）７７とに接続され、画面を表示することが可能になっている。また、スピーカ７４は、オーディオアンプ７３に接続され、音声を出力することが可能になっている。そして、マイコン１０がテレビジョン受信装置１全体を制御することにより、テレビジョンとしての機能を実現している。
【００２３】
チューナ回路２０は、テレビ放送帯域に対応して所望周波数の放送信号を受信するとともに、受信した所要の信号だけを選択して高周波増幅し、中間周波信号（ＩＦ）に変換してクロマＩＣ３０に出力する。本実施の形態では、チューナ回路２０はいわゆるＰＬＬ選局制御方式を採用しており、所定の周波数データの入力に基づいて局部発振周波数を直接制御することにより、受信周波数を制御するようになっている。
【００２４】
図２は、クロマＩＣ３０の内部構成を示すブロック図である。
【００２５】
クロマＩＣ３０は、チューナ回路２０に接続された中間周波増幅（ＶＩＦ）回路３１と、マイコン１０と図示しない水晶発振回路に接続されたＶＣＯ（ＶｏｌｔａｇｅＣｏｎｔｒｏｌｅｄ Ｏｓｃｉｌｌａｔｏｒ）回路３２と、ＶＣＯ回路３２とＶＩＦ回路３１に接続された検波回路３３と、検波回路３３に接続された同期回路３４とを備えている。
【００２６】
ＶＩＦ回路３１は、チューナ回路２０から出力された中間周波信号を中間周波増幅し、検波回路３３に出力する。ＶＣＯ回路３２は、水晶発振回路から入力される基準発振信号に基づいて発振信号を発振するとともに、入力される電圧に応じて発振信号の発振周波数を変更することが可能である。ここで、マイコン１０は受信する放送信号の種類に応じて対応する発振周波数となるように、ＶＣＯ回路３２に入力される電圧を制御している。
【００２７】
検波回路３３は、発振信号の発振周波数に基づいて、ＶＩＦ回路３１にて中間周波増幅された中間周波信号を検波して映像信号と音声信号とを出力する。より具体的に説明すると、検波回路３３は、中間周波増幅された中間周波信号から発振信号の発振周波数に同期しながら映像検波を行い、所定の色復調処理を施して映像信号を分離し、外部に出力する。また、音声の信号については、中間周波増幅された中間周波信号のうち音声成分と発振信号とを混合して第二音声中間周波信号を生成し、ＦＭ検波を行って音声信号とし、外部に出力する。さらに、検波回路３３は、検波の過程で発振信号の発振周波数に基づいて水平・垂直同期信号（ＳＹＮＣ）も生成して同期回路３４に出力する。
【００２８】
同期回路３４は、入力される水平・垂直同期信号に基づいてのこぎり波状の水平・垂直ドライブ信号（ＤＲＩＶＥ）を生成し、水平偏向回路６５ａと垂直偏向回路６５ｂとで構成される偏向回路６５に出力する。また、垂直ドライブ信号を生成するための垂直同期信号は、ＯＳＤ回路１５の垂直同期信号（ＯＳＤＶsync）としてマイコン１０に入力される。
【００２９】
検波回路３３から出力された映像信号は、後述するマイコン１０のＯＳＤ回路１５を介してカソードアンプ７１に出力され、このカソードアンプ７１にて増幅されて受像管７２に供給される。受像管７２は、増幅された映像信号に基づいて画面表示を行う。一方、上記音声信号については音声ミュート回路４０を介してオーディオアンプ７３に出力され、このオーディオアンプ７３で増幅されてスピーカ７４に供給される。スピーカ７４は、増幅された音声信号に基づいて音声を出力する。
【００３０】
偏向回路７５は、水平偏向回路７５ａにて、同期回路３４から入力される水平ドライブ信号に対応した所定の水平ドライブ電流を生成する。また、垂直偏向回路７５ｂにて、同期回路３４から入力される垂直ドライブ信号に対応した所定の垂直ドライブ電流を生成する。そして、この水平ドライブ電流及び垂直ドライブ電流を受像管７２に取り付けられた偏向コイル７６に供給することにより、電子ビームを水平・垂直方向にドライブさせる。また、水平偏向回路７５ａで生じる高周波信号は、ＦＢＴ７７に供給され、受像管７２に供給する高電圧が発生するようになっている。その結果、受像管７２では映像信号に応じた電子ビームがドライブされながら放出され、受像管７２の管面に画像が現れることになる。
【００３１】
ＥＥＰＲＯＭ５０は、読み書き可能な１ｋビットすなわち１２８バイトの不揮発性メモリである。このＥＥＰＲＯＭ５０には、上述したチューナ回路２０に対するチャンネルのプリセットデータの他、コントラスト、明るさ等の画質のデータや、アメリカ向けか日本向けか等の仕向データや、音声出力がステレオであるかどうかを判別するデータや、機種を判別するデータ等、上記の制御に必要な複数のデータが記憶されている。また、ＥＥＰＲＯＭ５０には、後述する既定数の範囲のデータが記憶されている。
【００３２】
マイコン１０は、ＣＰＵ１１、ＲＯＭ１２、ＲＡＭ１３、Ｉ／Ｏポート１４、ＯＳＤ回路１５、リモコン６０からの操作信号を受信する受信回路１６などを内蔵している。Ｉ／Ｏポート１４には、チューナ回路２０と、クロマＩＣ３０とが接続されている。また、ＯＳＤ回路１５には、上述した通り、クロマＩＣ３０と、カソードアンプ７１とが接続されている。そして、ＣＰＵ１１がＲＯＭ１２に記憶された所定のプログラムを実行し、テレビジョン受信装置１全体の制御を行う。
【００３３】
また、マイコン１０には、クロマＩＣ３０の同期回路３４から出力される垂直同期信号（ＯＳＤＶsync）と水平同期信号（Ｈsync）とがそれぞれ入力されており、マイコン１０では、この垂直同期信号（ＯＳＤＶsync）と水平同期信号（Ｈsync）とによってそれぞれ割り込みを発生させている。
【００３４】
また、マイコン１０は、図示しない内部タイマー回路により水平同期信号の数を所定時間（本実施形態では、２ｍｓｅｃとする）計測する計測機能と、計測した水平同期信号の数が予めＥＥＰＲＯＭ５０に記憶されている既定数の範囲内であるか否かによって同期信号の有無を判定する同期信号有無判定機能とを備えている。そして、同期信号無しと判定した場合には、音声ミュート回路４０により音声信号の出力をミュートするとともに、ＯＳＤ回路１５を制御して映像信号の出力をミュートするようになっている。
【００３５】
ここで、本発明では、マイコン１０は、この既定数の範囲を手動または自動で変更することにより、受信レベルを調整する各種判定レベル調整モードを実行する。以下、この判定レベル調整モードについて具体的に実施例を挙げて説明する。
【実施例１】
【００３６】
本実施例１では、出荷時にＥＥＰＲＯＭ５０に記憶されている既定数の範囲として２５〜３７が記憶されているものとする。
【００３７】
受信感度が良好である場合に、水平同期信号を２ｍｓｅｃの間計測すると、その計測数は計測開始タイミングにより３１または３２となる。従って、出荷時には、３１を基準とし、これに±６の余裕を見た２５〜３７がＥＥＰＲＯＭ５０に記憶されている。なお、この設定条件は、以下の実施例２〜４においても同様である。
【００３８】
この状態において、ユーザがリモコン６０の図示しないメニューボタンを操作すると、受像管７２の画面（以下「モニタ画面」という）に表示されるメニュー画面には各種初期設定の項目の他に、本発明に係わる手動判定レベル調整モードか自動判定レベル調整モードのいずれかを選択する選択項目が表示される。
【００３９】
ここで、ユーザが手動判定レベル調整モードを選択すると、モニタ画面には、図３（ａ）に示すような判定レベル調整モード画面が表示される。この判定レベル調整モード画面は、既定数の範囲が初期設定の２５〜３７である場合には、画面中央部の位置（弱と強の中間位置）にカーソル５１が位置した状態で表示される。
【００４０】
この状態において、ユーザがリモコン６０の図示しないアップボタンを１回押すごとに、マイコン１０は、ＥＥＰＲＯＭ５０に記憶されている既定数の範囲を「２５〜３６」、「２６〜３６」、「２６〜３５」、「２７〜３５」、・・・、「２９〜３３」、「２９〜３２」、「３０〜３２」と徐々に狭めるように設定変更する。これとは逆に、リモコン６０のダウンボタンを１回押すごとに、マイコン１０は、ＥＥＰＲＯＭ５０に記憶されている既定数の範囲を「２５〜３８」、「２４〜３８」、「２４〜３９」、「２３〜３９」、・・・、「２１〜４１」、「２１〜４２」、「２０〜４２」と徐々に広げるように設定変更する。この場合、レベル調整モード画面のカーソル５１も、アップボタンが１回押されるごとに強に向かって１メモリずつ移動し（図３（ｂ）参照）、ダウンボタンが１回押されるごとに弱に向かって（図３中左側に向かって）１メモリずつ移動するようになっている。このように、カーソル５１を表示することで、ユーザは、既定数の範囲、すなわち判定レベルが初期設定値からどの程度変更されたのかを目視により確認することができる。
【００４１】
また、本発明では、「２０〜４２」の範囲を既定数の範囲の設定限界値とし、これ以上はダウンボタンを押しても既定数の範囲を広げないようにしている。
【００４２】
本実施例１によれば、現在視聴中の番組の受信感度が若干悪いために、たびたび映像や音声がミュートされて視聴しずらい場合には、ユーザがリモコン６０を操作して既定数の範囲を広げるように設定変更すればよい。これにより、画質や音質は多少悪いものの、頻繁にミュートされるといった事態を回避でき、映像及び音声を視聴することが可能となる。
【実施例２】
【００４３】
本実施例２は、ＥＥＰＲＯＭ５０に初期設定されている既定数の範囲を、テレビジョン放送信号の受信開始時に最適な範囲に自動的に設定変更する実施例である。これにより、本テレビジョン受信装置１が使用される地域の受信状態に合わせた最適な既定数の範囲を常にＥＥＰＲＯＭ５０に記憶させておくことが可能となる。以下、図４に示すフローチャートを参照して説明する。
【００４４】
本実施例２を実現するためには、まず最初に、ユーザがリモコン６０の図示しないメニューボタンを操作し、モニタに表示されるメニュー画面の自動判定レベル調整モードを選択しておく必要がある。これにより、マイコン１０は、本装置が自動判定レベル調整モードであることを認識する。
【００４５】
この後、テレビジョン放送信号の受信を開始すると（ステップＳ１）、マイコン１０は、予め設定された基準となる放送局（例えば、ＮＨＫ）のテレビジョン放送信号を受信するようにチューナ回路２０を制御し（ステップＳ２）、受信したテレビジョン放送信号の受信レベルを判定する（ステップＳ３）。
【００４６】
具体的には、図示しない内部タイマー回路により水平同期信号の数を所定時間（２ｍｓｅｃ）計測する（ステップＳ４）。そして、計測した水平同期信号の数（受信レベル）に基づいて、ＥＥＰＲＯＭ５０に記憶されている既定数の範囲の設定を変更する（ステップＳ５）。
【００４７】
例えば、計測した水平同期信号の数が３１または３２である場合には、その地域の受信状態は極めて良好であるため、この場合には、既定数の範囲を初期設定時のままとする。一方、計測した水平同期信号の数が例えば２９であった場合には、この２９に±６した「２３〜３５」を既定数の範囲としてＥＥＰＲＯＭ５０に更新記憶する。同様に、計測した水平同期信号の数が例えば３３であった場合には、この３３に±６した「２７〜３９」を既定数の範囲としてＥＥＰＲＯＭ５０に更新記憶する。なお、この場合も既定値の範囲の設定限界値は実施例１と同様、「２０〜４２」とする。
【００４８】
このように、テレビジョン放送信号の受信開始時に、基準放送局の受信レベルに基づいて既定数の範囲の設定を予め変更することで、出荷時に設定されている既定数の範囲から、その地域に合った既定数の範囲に設定変更することができる。これにより、映像及び音声が頻繁にミュートされるといった事態を未然に防止することができる。
【実施例３】
【００４９】
ところで、上記の基準放送局（ＮＨＫ）が全国一律に受信感度が良好なわけではなく、地域によっては別の放送局の方が受信感度が良好な場合も考えられる。そこで、本実施例３では、このような場合を考慮し、受信レベルの良好な上位３局の受信レベルの平均値に基づいて既定数の範囲の設定を変更するようにしている。これにより、本テレビジョン受信装置１が使用される地域の受信状態に合わせた最適な既定数の範囲を常にＥＥＰＲＯＭ５０に記憶させておくことが可能となる。以下、図５に示すフローチャートを参照して説明する。
【００５０】
本実施例３を実現するためには、まず最初に、ユーザがリモコン６０の図示しないメニューボタンを操作し、モニタに表示されるメニュー画面の自動判定レベル調整モードを選択しておく必要がある。これにより、マイコン１０は、本装置が自動判定レベル調整モードであることを認識する。
【００５１】
この後、テレビジョン放送信号の受信を開始すると（ステップＳ１１）、マイコン１０は、従来のオートプリセット動作と同様に、受信可能な全放送局のテレビジョン放送信号を順次受信するようにチューナ回路２０を制御し、受信したテレビジョン放送信号の受信レベルを順次判定する（ステップＳ１２）。具体的には、各放送局のテレビジョン放送信号について、図示しない内部タイマー回路により水平同期信号の数を所定時間（２ｍｓｅｃ）計測する。
【００５２】
そして、その計測結果から、計測数が３１に最も近い上位３局を決定し（ステップＳ１３）、その上位３局の計測数の平均値を求め（ステップＳ１４）、その平均値に基づいてＥＥＰＲＯＭ５０に記憶されている既定数の範囲の設定を変更する（ステップＳ１５）。
【００５３】
例えば、上位３局の平均値が３１または３２である場合には、その地域の受信状態は極めて良好であるため、この場合には、既定数の範囲を初期設定時のままとする。一方、平均値が例えば２９であった場合には、この２９に±６した「２３〜３５」を既定数の範囲としてＥＥＰＲＯＭ５０に更新記憶する。同様に、平均値が例えば３３であった場合には、この３３に±６した「２７〜３９」を既定数の範囲としてＥＥＰＲＯＭ５０に更新記憶する。なお、この場合も既定値の範囲の設定限界値は実施例１と同様、「２０〜４２」とする。
【００５４】
このように、テレビジョン放送信号の受信開始時に、受信感度の良好な上位複数局の受信レベルの平均値に基づいて既定数の範囲の設定を予め変更することで、出荷時に設定されている既定数の範囲から、その地域に合った既定数の範囲に設定変更することができる。これにより、映像及び音声が頻繁にミュートされるといった事態を未然に防止することができる。
【実施例４】
【００５５】
上記実施例２及び実施例３は、テレビジョン放送信号の受信開始時の既定数の範囲の設定変更（いわゆる、視聴開始時の初期設定）の実施例であったが、本実施例４では、ユーザが受信感度の悪い放送局を視聴中に、ミュートが頻繁に発生しないように既定数の範囲を自動的に設定変更する実施例である。これにより、受信感度の悪い放送局を視聴中に、受信状態に合わせた（ミュートの発生しない）最適な既定数の範囲を設定、すなわちＥＥＰＲＯＭ５０に記憶させることができる。以下、図６に示すフローチャートを参照して説明する。
【００５６】
本実施例４を実現するためには、まず最初に、ユーザがリモコン６０の図示しないメニューボタンを操作し、モニタに表示されるメニュー画面の自動判定レベル調整モードを選択しておく必要がある。これにより、マイコン１０は、本装置が自動判定レベル調整モードであることを認識する。
【００５７】
すなわち、マイコン１０は、受信しているテレビジョン放送信号のフレームごとに、図示しない内部タイマー回路により水平同期信号の数を所定時間（２ｍｓｅｃ）計測する（ステップＳ２１）。そして、計測した水平同期信号の数がＥＥＰＲＯＭ５０に記憶されている既定数の範囲内であるか否かによって同期信号の有無を判定する（ステップＳ２２）。その結果、同期信号無しと判定した場合、すなわち計測数が既定数の範囲外であった場合（ステップＳ２２でＮｏと判定された場合）には、同期信号有りと判定されるまで、すなわち計測数が既定数の範囲内になるまで、既定数の範囲を順次広げるように変更する（ステップＳ２２〜ステップＳ２３繰り返す）。このときの変更方法は、手動変更である上記実施例１でレベルアップボタンまたはレベルダウンボタンを1回ずつ押す場合と同様であり、本実施例4ではこのような既定数の変更を自動で行っている。
【００５８】
例えば、計測数が２３であった場合には、マイコン１０は、現在の既定数の範囲「２５〜３７」が「２３〜３９」となるまで順次広げる。その結果、ステップＳ２２での判断がＹｅｓとなるので、この「２３〜３９」を現在受信しているテレビジョン放送信号の判定レベルとしてＥＥＰＲＯＭ５０に更新記憶する（ステップＳ２４）。
【００５９】
これにより、受信感度の悪い放送局を受信している場合において、ユーザがいちいちリモコン６０を操作しなくても、既定数の範囲を自動的に広げることができるので、頻繁にミュートされるといった事態を回避でき、映像及び音声をミュートされることなく視聴することが可能となる。
【００６０】
なお、既定数の範囲を自動的に変更している動作中は、図３に示す判定レベル調整モード画面を表示するようにしてもよい。この画面を表示することで、既定数の範囲を自動調整していることをユーザに知らせることができる。
【００６１】
また、上記実施例４では、ステップＳ２２でＮｏと判断された場合、既定数の範囲を１段階ずつ広げるようにしているが、ミュート状態が長くなるのを回避するため、複数段階まで一気に広げるようにしてもよい。そして、一旦広げてから、ステップＳ２２でＹｅｓとなる条件を満足するところまで１段階ずつ狭めていくようにしてもよい。
【００６２】
なお、上記各実施例では、ミュートの対象を映像及び音声として説明しているが、映像または音声のいずれか一方のみとしてもよい。
【産業上の利用可能性】
【００６３】
本発明のテレビジョン受信装置は、テレビジョン受像機の他、ビデオ一体型テレビジョン受像機やビデオカセットレコーダ、ＤＶＤレコーダ等、テレビジョン放送信号を受信可能な全ての機器に適用可能である。
【図面の簡単な説明】
【００６４】
【図１】本発明のテレビジョン受信装置の電気的構成を示すブロック図である。
【図２】クロマＩＣの内部構成を示すブロック図である。
【図３】モニタに表示する判定レベル調整モード画面の一例を示す説明図である。
【図４】実施例２の処理動作を説明するためのフローチャートである。
【図５】実施例３の処理動作を説明するためのフローチャートである。
【図６】実施例４の処理動作を説明するためのフローチャートである。
【符号の説明】
【００６５】
１  テレビジョン受信装置
１０  マイコン
１１  ＣＰＵ
１２  ＲＯＭ
１３  ＲＡＭ
１４  Ｉ／Ｏポート
１５  ＯＳＤ回路
１６  受信回路
２０  チューナ回路
３０  クロマＩＣ
３１  中間周波増幅（ＶＩＦ）回路
３２  ＶＣＯ回路
３３  検波回路
３４  同期回路
４０  音声ミュート回路
５０  ＥＥＰＲＯＭ
６０  リモコン
【図１】
2005159855.tif 000003
【図２】
2005159855.tif 000004
【図３】
2005159855.tif 000005
【図４】
2005159855.tif 000006
【図５】
2005159855.tif 000007
【図６】
2005159855.tif 000008